(57)【要約】【課題】  記録媒体を自由に選択でき、録画されない不都合を解消することのできるデータ記録再生装置を提供すること。【解決手段】  ＣＰＵ１０は、ＤＶＤ１６への録画が可能であると判断した場合（ステップＳ８においてＹＥＳ）、装着されているＤＶＤ１６への録画を実行する（ステップＳ１０）。一方、ＤＶＤ１６への録画が不可能であると判断した場合（ステップＳ８においてＮＯ）、ＣＰＵ１０は、ＨＤＤ５によるＨＤへの録画が可能か否かを判断する（ステップＳ１２）。ステップＳ１２において、ＨＤへの録画が可能であると判断した場合（ステップＳ１２においてＹＥＳ）、ＨＤＤ５によるＨＤへの録画が開始される（ステップＳ１３）。一方、ＨＤへの録画が不可能であると判断した場合（ステップＳ１２においてＮＯ）、録画キー２５の操作は無効とされる（ステップＳ１６）。【選択図】        図３
2006294165.tif 000002
【特許請求の範囲】
【請求項１】
放送信号に基づくデータを受信するための受信手段と、
予め内蔵された第１の記録媒体と、
着脱可能な第２の記録媒体と、
前記第１の記録媒体および前記第２の記録媒体のいずれかにデータを書き込むための第１の書き込み手段と、
ユーザからの指示の入力を受け付けるための操作手段と、
前記操作手段により前記第２の記録媒体への録画が選択された場合に、録画可能か否かを判断するための判断手段とを備え、
前記第１の書き込み手段は、前記判断手段により録画不可能と判断された場合、前記受信手段により受信される前記データを、前記第１の記録媒体に書き込み、
前記第１の記録媒体に記録されているデータの管理情報を記憶するための記憶手段と、
前記判断手段により録画不可能と判断されて前記第１の記録媒体に書き込まれたデータの前記管理情報に、付加情報を書き込むための第２の書き込み手段と、
前記操作手段により、前記第１の記録媒体に記録されている記録済データを前記第２の記録媒体へ転送する指示が入力された場合に、前記記録済データを読み出して、前記第２の記録媒体に書き込むための転送手段とをさらに備える、データ記録再生装置。
【請求項２】
外部からデータを受信するための受信手段と、
予め内蔵された第１の記録媒体と、
着脱可能な第２の記録媒体と、
前記第１の記録媒体および前記第２の記録媒体のいずれかにデータを書き込むための第１の書き込み手段と、
ユーザからの指示の入力を受け付けるための操作手段と、
前記操作手段により前記第２の記録媒体への録画指示が入力された場合に、録画可能か否かを判断するための判断手段とを備え、
前記第１の書き込み手段は、前記判断手段により録画不可能と判断された場合、前記受信手段により受信される前記データを、前記第１の記録媒体に書き込む、データ記録再生装置。
【請求項３】
前記操作手段により、前記第１の記録媒体に記録されている記録済データを前記第２の記録媒体へ転送する指示が入力された場合に、前記記録済データを読み出して、前記第２の記録媒体に書き込むための転送手段をさらに備える、請求項２に記載のデータ記録再生装置。
【請求項４】
前記第１の記録媒体に記録されているデータの管理情報を記憶するための記憶手段と、
前記判断手段により録画不可能と判断されて前記第１の記録媒体に書き込まれたデータの前記管理情報に、付加情報を書き込むための第２の書き込み手段とをさらに備える、請求項２に記載のデータ記録再生装置。
【請求項５】
前記判断手段により録画不可能と判断された場合、前記第１の記録媒体にデータを書き込んでよいか否かを選択させるための選択手段をさらに備える、請求項２に記載のデータ記録再生装置。
【請求項６】
前記第１の記録媒体は、ハードディスク装置であり、前記第２の記録媒体は、光学ディスクである、請求項２に記載のデータ記録再生装置。
【請求項７】
前記第１の記録媒体は、ハードディスク装置であり、前記第２の記録媒体は、磁気テープである、請求項２に記載のデータ記録再生装置。
【発明の詳細な説明】
【技術分野】
【０００１】
本発明は、データ記録再生装置に関し、特に、予め内蔵されたハードディスク装置と着脱可能な記録媒体とを備える複合型データ記録再生装置に関する。
【背景技術】
【０００２】
近年、大容量のＨＤＤ（Hard Disk Drive）装置とたとえばＤＶＤ（Digital Versatile Disk）駆動装置とを備えた複合型のデータ記録再生装置が提案されている。このようなデータ記録再生装置は、あらゆるデータを大容量のＨＤＤ装置に溜め込んでおくことができ、使い勝手が良い。
【０００３】
このように装置自体に内蔵されているＨＤＤ装置を利用したデータ記録方法が開示されている。
【０００４】
たとえば特許文献１では、電源オフの状態で、録画キーを長押しするなどの特殊操作がなされた場合、着脱自在なビデオテープが装着されていなければ、ハードディスクに対して再生、記録を行なうことが開示されている。また、特許文献２では、第２のメモリを交換する際など入力データを外部メモリに記録できない状態のときに、内部メモリ（ハードディスク）に対して入力データの書き込みが行なわれることが開示されている。
【特許文献１】特開２００４−２８１００６号公報
【特許文献２】特開２００４−０８８３２８号公報
【発明の開示】
【発明が解決しようとする課題】
【０００５】
特許文献１に開示された技術を用いると、電源がオフの状態でユーザから特殊な操作がなされた場合に、予め定められた優先順位に従って記録や再生を行なうことができる。また、特許文献２では、外部メモリを交換している間に、データの記録動作が中断されるのを防止することができる。
【０００６】
しかしながら、このような初期化の際や外部メモリの交換時など特別な状況ではなく、ユーザが、自由に記録媒体を選択して通常の録画を行なう場合にも、極力録画されない不都合を解消することが望まれる。
【０００７】
本発明は、上記のような問題を解決するためになされたものであって、その目的は、記録媒体を自由に選択でき、録画されない不都合を解消することのできるデータ記録再生装置を提供することである。
【課題を解決するための手段】
【０００８】
この発明のある局面に従うデータ記録再生装置は、放送信号に基づくデータを受信するための受信手段と、予め内蔵された第１の記録媒体と、着脱可能な第２の記録媒体と、第１の記録媒体および第２の記録媒体のいずれかにデータを書き込むための第１の書き込み手段と、ユーザからの指示の入力を受け付けるための操作手段と、操作手段により第２の記録媒体への録画が選択された場合に、録画可能か否かを判断するための判断手段とを備え、第１の書き込み手段は、判断手段により録画不可能と判断された場合、受信手段により受信されるデータを、第１の記録媒体に書き込み、第１の記録媒体に記録されているデータの管理情報を記憶するための記憶手段と、判断手段により録画不可能と判断されて第１の記録媒体に書き込まれたデータの管理情報に、付加情報を書き込むための第２の書き込み手段と、操作手段により、第１の記録媒体に記録されている記録済データを第２の記録媒体へ転送する指示が入力された場合に、記録済データを読み出して、第２の記録媒体に書き込むための転送手段とをさらに備える。
【０００９】
この発明の他の局面に従うデータ記録再生装置は、外部からデータを受信するための受信手段と、予め内蔵された第１の記録媒体と、着脱可能な第２の記録媒体と、第１の記録媒体および第２の記録媒体のいずれかにデータを書き込むための第１の書き込み手段と、ユーザからの指示の入力を受け付けるための操作手段と、操作手段により第２の記録媒体への録画指示が入力された場合に、録画可能か否かを判断するための判断手段とを備え、第１の書き込み手段は、判断手段により録画不可能と判断された場合、受信手段により受信されるデータを、第１の記録媒体に書き込む。
【００１０】
好ましくは、操作手段により、第１の記録媒体に記録されている記録済データを第２の記録媒体へ転送する指示が入力された場合に、記録済データを読み出して、第２の記録媒体に書き込むための転送手段をさらに備える。
【００１１】
好ましくは、第１の記録媒体に記録されているデータの管理情報を記憶するための記憶手段と、判断手段により録画不可能と判断されて第１の記録媒体に書き込まれたデータの管理情報に、付加情報を書き込むための第２の書き込み手段とをさらに備える。
【００１２】
好ましくは、判断手段により録画不可能と判断された場合、第１の記録媒体にデータを書き込んでよいか否かを選択させるための選択手段をさらに備える。
【発明の効果】
【００１３】
本発明によると、着脱可能な第２の記録媒体への録画が不可能な場合、予め内蔵されている第１の記録媒体に録画することができる。したがって、第２の記録媒体を装着し忘れていたとしても、確実に録画することができる。また、録画出来ないことによるユーザの混乱を解消することができる。
【発明を実施するための最良の形態】
【００１４】
本発明の実施の形態について図面を参照しながら詳細に説明する。なお、図中同一または相当部分には同一符号を付してその説明は繰返さない。
【００１５】
［実施の形態１］
図１には、この発明の実施の形態１に係るデータ記録再生装置の構成が示される。図１を参照してデータ記録再生装置はＴＶ（Television）放送を受信するＴＶアンテナ１、ＴＶアンテナ１により受信された放送信号から所望チャンネルに対応の放送信号を抽出するためのチューニング動作を行なうチューナ２、チューナ２により抽出された放送信号について所定の符号化方式に従いデジタル信号に変換するデジタル変換部３、デジタル変換部３により変換されて出力されたデジタル信号をコード化してデジタルデータとして出力するエンコーダ４、エンコーダ４から出力されたデジタルデータが記録され、供給電力が絶たれても記録内容を保持できる図示のないＨＤを駆動制御するＨＤＤ（Hard disk drive）５、ＨＤＤ５によるＨＤへのデジタルデータの書込および読出とＤＶＤ１６へのデジタルデータの書込および読出とを制御する書込／読出制御部６、ＨＤＤ５によりＨＤから読出されたデジタルデータまたはＤＶＤ１６から読出されたデジタルデータを入力してデコードし、デジタル信号を出力するデコーダ７、デコーダ７から出力されたデジタル信号を入力してアナログ信号に変換して出力するアナログ変換部８、およびアナログ変換部８から出力されたアナログ信号を入力して映像、音声などにして出力するためのＴＶ受像機などの出力部９を備える。
【００１６】
さらに、図１のデータ記録再生装置は、チューナ２のチューニング動作、エンコーダ４のエンコード動作、デコーダ７のデコード動作および書込／読出制御部６の動作を制御するためのＣＰＵ（Central Processing Unit）１０、ＣＰＵ１０がこれらを制御するための情報（プログラム、データなど）を含む各種の情報を記憶するためのＲＡＭ（Random Access Memory）やＲＯＭ（Read Only Memory）などからなる記憶部１１および１２、外部に設けられたリモコン（リモートコントローラの略）１４からの赤外線信号による指令・指示を受信し、データに変換して、ＣＰＵ１０に与える入力部１３、ＯＳＤ（On Screen Display）回路１５、着脱可能な記録媒体であるＤＶＤ１６、計時動作するタイマ１７およびＥＰＧ（Electric Program Guide）抽出部１８を備える。なお、ＥＰＧ抽出部１８を備えない構成であってもよい。
【００１７】
ここでは、ＤＶＤ１６は、ＤＶＤ−Ｒ、ＤＶＤ−ＲＡＭ（ＤＶＤ−ＲＷ（Digital Versatile Disc ReWritable）ともいう）などであってよい。
【００１８】
ＯＳＤ回路１５はＣＰＵ１０から与えられるデジタル情報に基づく描画データを作成してアナログ変換部８に出力する。アナログ変換部８は描画データを入力すると、該描画データのみをアナログ変換して、または該描画データとＨＤＤ５またはＤＶＤ１６から読出されてデコーダ７を介して与えられるデータとをアナログ変換して、出力部９に出力するので、出力部９には与えられるデータに基づく画像が表示されることになる。
【００１９】
本実施の形態において、記憶部１１には、供給電力が絶たれても記録内容を保持できるメモリ、たとえばフラッシュメモリを含んでいるものとする。
【００２０】
入力部１３はリモコン１４からの指令を入力しない場合には、外部からの指令・指示を入力するためのユーザにより操作される各種スイッチ、ボタンなどから構成されてもよい。
【００２１】
ＥＰＧ抽出部１８はアンテナ１、チューナ２およびデジタル変換部３を経由して入力したデジタル情報から、放送信号とともに送信されている番組データのＥＰＧ情報を抽出して、抽出したＥＰＧ情報をＣＰＵ１０に与える。
【００２２】
なお、ＨＤＤ５によるＨＤへの情報の書込（記録）／読出（再生）、ならびにＤＶＤ１６への情報の書込（記録）／読出（再生）は、ＣＰＵ１０の制御の下に読出／書込制御部６を介して行なわれる。ここでは、ＨＤＤ５とＤＶＤ１６について読出／書込制御部６を共用して設けているが、書込／読出制御部６をそれぞれ個別に設けるようにしてもよい。
【００２３】
以下の説明において、録画やダビングの対象とされるデータを映像データであるものとするが、映像データに限られず、音声データであってもよいし、両方を含んでいてもよい。本実施の形態において、「録画」とは、アンテナ１を介して受信される放送信号に基づく映像データを記録媒体に書き込むことをいうものとする。また、「ダビング」とは、ある記録媒体（ＨＤＤ５）に記録されている記録済データを別の記録媒体（ＤＶＤ１６）に転送して再記録することをいうものとする。
【００２４】
また、映像データが格納されるのはＤＶＤ１６と図示しないＨＤとであるが、以下の説明において、映像データはＤＶＤ１６とＨＤＤ５とに格納されるものとして説明する。
【００２５】
図２は、リモコン１４の構成例を示す図である。図２を参照して、リモコン１４には、データ記録再生装置１００への電源の投入の状態を変更するための電源キー２１、ＤＶＤ１６に対する動作を指示するためのＤＶＤキー２２、ＨＤＤ５に対する動作を指示するためのＨＤＤキー２３、「１」〜「０」、および「＋１０」の数字を入力するための数字キー２４、アンテナ１を介して受信した映像データをＤＶＤ１６またはＨＤＤ５に記録（録画）するための録画キー２５、ＤＶＤ１６またはＨＤＤ５に記録された映像データの再生指示を与えるための再生キー２６、当該再生を早送りさせるための早送りキー２８、当該再生を巻戻すための巻戻しキー２９、再生および録画を停止させるための停止キー２７、各種メニューを表示するためのメニューキー４１、決定ボタン４２、カーソルキー４３〜４６が含まれる。カーソルキー４３〜４６は、出力部９に表示されるカーソルなどのポインタを上下左右のそれぞれの方向に移動させるための複数種類のキーである。
【００２６】
以下、ＤＶＤキー２２が操作された場合を「ＤＶＤモード」、ＨＤＤキー２３が操作された場合を「ＨＤＤモード」という。たとえばＤＶＤモード中に、録画キー２５が操作されると、ＤＶＤ１６に対してアンテナ１を介して受信される放送信号に基づく映像データの書き込みが実行されることになる。このように、本発明の実施の形態において、ユーザは、放送信号に基づく映像データの記録先の媒体をＤＶＤ１６あるいはＨＤＤ５のいずれかから選択することができる。
【００２７】
リモコン１４は図２に示されるような構成でなくてもよく、たとえば、ＤＶＤ専用の録画キーとＨＤＤ専用の録画キーとが別に設けられている構成であってもよい。
【００２８】
なお、たとえばメニューキー４１が操作されることで表示されるメニューの中には、少なくとも、ＨＤＤ５からＤＶＤ１６へのダビングというメニューがあるものとする。これにより、ユーザは、大容量のＨＤＤ５に映像データを溜め込んでおいて、必要に応じてＤＶＤ１６へダビングすることができる。
【００２９】
図３は、本発明の実施の形態１における記録媒体切替処理の流れを示すフローチャートである。この処理は、たとえば、ユーザが電源キー２１を操作して、電源が投入された場合にＣＰＵ１０により開始される処理である。
【００３０】
図３を参照して、はじめに、ＣＰＵ１０は、キー入力の有無を判断する（ステップＳ２）。キー入力があるまで待機する（ステップＳ２においてＮＯ）。
【００３１】
ＣＰＵ１０は、キー入力がされたことを検知すると（ステップＳ２においてＹＥＳ）、次に、入力されたキーの種類を検知する（ステップＳ４）。キーの種類が、ＤＶＤ録画キーであると検知した場合、ステップＳ８へ進む。一方、キーの種類が、ＤＶＤ録画キーでないと判断した場合、ＣＰＵ１０は、入力キーに応じた処理を行なう（ステップＳ６）。
【００３２】
ここで、ＤＶＤ録画キーであるか否かの判断は、ＤＶＤモード中に、録画キー２５が操作されたか否かにより行なわれる。
【００３３】
ステップＳ８において、ＣＰＵ１０は、ＤＶＤ１６への録画が可能か否かを判断する。ここでの判断は、たとえば、ＤＶＤ１６が装着されているか、装着されたＤＶＤ１６に空き容量があるか、あるいは、装着されたＤＶＤ１６が書き込み禁止でないか、などにより行なわれる。
【００３４】
ＣＰＵ１０が、ＤＶＤ１６への録画が可能であると判断した場合（ステップＳ８においてＹＥＳ）、装着されているＤＶＤ１６への録画を開始する（ステップＳ９）。続いて、ＣＰＵ１０は、停止指示の有無を検知する（ステップＳ１０）。停止指示は、たとえば、ユーザが停止キー２７を操作した場合に検知される。あるいは、録画停止時刻を予め設定していた場合、タイマ１７から得られる時刻が録画停止時刻か否かを検知し、録画停止時刻になったときに、停止指示があったと判断してもよい。そして、停止指示が検出されると（ステップＳ１０においてＹＥＳ）、ＣＰＵ１０は録画を終了して（ステップＳ１１）、ステップＳ２に処理を戻す。
【００３５】
一方、ＤＶＤ１６への録画が不可能であると判断した場合（ステップＳ８においてＮＯ）、ＣＰＵ１０は、ＨＤＤ５への録画が可能か否かを判断する（ステップＳ１２）。ここでの判断は、たとえば、ＨＤＤ５に空き容量があるか否かにより行なわれる。なお、通常ＨＤＤ５は大容量であるので、空き容量は通常存在する。
【００３６】
ステップＳ１２において、ＨＤＤ５への録画が可能であると判断した場合（ステップＳ１２においてＹＥＳ）、ＨＤＤ５への録画が実行される（ステップＳ１３）。続いて、ＣＰＵ１０は、停止指示の有無を検知する（ステップＳ１４）。停止指示は、たとえば、ユーザが停止キー２７を操作した場合に検知される。あるいは、録画停止時刻を予め設定していた場合、タイマ１７から得られる時刻が録画停止時刻か否かを検知し、録画停止時刻になったときに、停止指示があったと判断してもよい。そして、停止指示が検出されると（ステップＳ１４においてＹＥＳ）、ＣＰＵ１０は録画を終了して（ステップＳ１５）、ステップＳ２に処理を戻す。
【００３７】
一方、ステップＳ１２において、ＨＤＤ５への録画が不可能であると判断した場合（ステップＳ１２においてＮＯ）、録画キー２５の操作は無効とされる（ステップＳ１６）。この場合、録画が無効とされたことをユーザに報知する画像がＯＳＤ回路１５において生成され、出力される。そして、ステップＳ１６の処理が終わると、ステップＳ２に処理は戻される。
【００３８】
このように、本実施の形態では、ＤＶＤ１６への録画が不可能である場合でも、録画キーを有効とすることができる。そして、記録先を、ＤＶＤ１６からＨＤＤ５へ切り替えることにより、慌てて記録可能なＤＶＤ１６を装着する必要にせまられたり、その間録画ができないという不都合を解消することができる。
【００３９】
また、本実施の形態のデータ記録再生装置１００は、ＨＤＤ５からＤＶＤ１６へのダビングが可能であるので、後で、余裕をもってＤＶＤ１６に記録することができ、ユーザーフレンドリーである。
【００４０】
なお、このような記録媒体切替処理は、録画キー２５が操作された場合だけでなく、ＤＶＤ１６への録画が予約されていた場合にも、適用することができる。この場合、ＣＰＵ１０は、タイマ１７から得られる時刻と録画予約の時刻とを比較し、録画予約時刻になったとき（あるいはその数分〜数秒前）に、ステップＳ８の判断を行なう。このようにすることで、ＤＶＤ１６に録画予約していた場合にも、確実に、録画処理を行なうことが可能となる。
【００４１】
（変形例１）
次に、本発明の実施の形態１の変形例１について説明する。実施の形態１の変形例１では、記録媒体切替処理が実行されてＨＤＤ５に録画されると、通常の録画と区別して管理されるものである。すなわち、記録媒体切替処理が実行されてＨＤＤ５に録画されると、そのコンテンツの管理情報に付加情報が格納される。なお、実施の形態１の変形例１におけるデータ記録再生装置の構成は、実施の形態１と同様であるので、図１に示したデータ記録再生装置１００の符号を用い、ここでの説明は繰り返さない。
【００４２】
図４は、本発明の実施の形態１の変形例１におけるＨＤＤ５のタイトル管理テーブルの構造例を示す図である。タイトル管理テーブルは、ＨＤＤ５のデータ領域に記録されているコンテンツ（タイトル）を管理するために、ＨＤＤ５のたとえばシステム管理領域に格納されている。
【００４３】
図４を参照して、タイトル管理テーブルは、タイトルごとにタイトル管理データＢｊ（ｊ＝１、２、３、…、ｍ）を有する。タイトル管理データＢｊは、タイトル名Ｄ１，開始アドレスＤ２，終了アドレスＤ３，録画時間長Ｄ４，録画日付Ｄ５，チャンネルＤ６，および臨時情報Ｄ７などを含む。臨時情報Ｄ７には、臨時か否かを示す情報が格納される。ここで、「臨時」とは、記録媒体切替処理が行なわれて録画された映像データであることを示す。臨時情報Ｄ７には、たとえば、通常であれば“ＯＦＦ”が記憶され、臨時であれば、付加情報として“ＯＮ”が記憶される。なお、臨時情報Ｄ７以外の情報（Ｄ１〜Ｄ６）は、一般的な必須の情報であるものとする。
【００４４】
図５は、本発明の実施の形態１の変形例１における記録媒体切替処理の流れを示すフローチャートである。なお、図３に示したフローチャートと同様の処理については同じステップ番号を付し、ここでの説明は繰り返さない。
【００４５】
ＣＰＵ１０は、実施の形態１と同様に、ステップＳ２〜Ｓ８の処理を実行する。
【００４６】
ステップＳ８において、ＤＶＤ１６への録画が可能であると判断された場合（ステップＳ８においてＹＥＳ）、タイトル管理データＢｊの臨時情報Ｄ７を“ＯＦＦ”にする（ステップＳ２０）。その後、ＣＰＵ１０は、ステップＳ９〜Ｓ１１の処理を行なう。なお、ステップＳ９の処理の後に、ステップＳ２０の処理を行なうこととしてもよい。
【００４７】
また、ステップＳ８において、ＤＶＤ１６への録画が不可能と判断された場合（ステップＳ８においてＮＯ）、ステップＳ１２へ進み、上記判断を行なう。
【００４８】
そして、ステップＳ１２において、ＨＤＤ５への録画が可能であると判断した場合（ステップＳ１２においてＹＥＳ）、ＣＰＵ１０は、タイトル管理データＢｊの臨時情報Ｄ７を“ＯＮ”にする（ステップＳ２２）。そして、ステップＳ２２の処理が終了すると、上記ステップＳ１３〜Ｓ１５の処理を実行する。なお、ステップＳ１３の処理の後にステップＳ２２の処理を行なうこととしてもよい。
【００４９】
図６は、本発明の実施の形態１の変形例１におけるＨＤＤ５のタイトル一覧の表示例を示す図である。ユーザにより、たとえばメニューキー４１が操作されて、ＨＤＤ５に録画されたタイトル（コンテンツ）一覧の表示が選択された場合、図６に示されるような画面が表示される。
【００５０】
図６を参照して、画面には、たとえば、タイトル名Ｄ１、録画日付Ｄ５、チャンネルＤ６、および、臨時情報Ｄ７の情報が表示される。図６に示すように、本実施の形態において、臨時情報Ｄ７がＯＦＦのときは、特別な情報は表示せず、臨時情報Ｄ７がＯＮのときに、たとえば「（臨時）」という文字が表示される。なお、このような文字に限られず、特定のマークが表示されてもよいし、タイトル名Ｄ１を点滅表示させるなど表示形態を変えることで区別してもよい。
【００５１】
このように、実施の形態１の変形例１では、臨時的にＨＤＤ５に記録されたコンテンツが簡単に分かるため、後に、ダビングするコンテンツを検索する場合などに便利である。
【００５２】
なお、臨時情報は、記録媒体切替処理が行なわれたコンテンツと対応付けられていればよく、このようなタイトル管理テーブル以外の記憶領域で管理されることとしてもよい。
【００５３】
（変形例２）
次に、本発明の実施の形態１の変形例２について説明する。実施の形態１の変形例２では、上述の記録媒体切替処理を実行するかをユーザに選択させることができる。なお、実施の形態１の変形例２におけるデータ記録再生装置の構成も、実施の形態１と同様であるので、図１に示したデータ記録再生装置１００の符号を用い、ここでの説明は繰り返さない。
【００５４】
図７は、本発明の実施の形態１の変形例２における記録媒体切替処理の流れを示すフローチャートである。なお、図３に示したフローチャートと同様の処理については同じステップ番号を付し、ここでの説明は繰り返さない。
【００５５】
ＣＰＵ１０は、実施の形態１と同様に、ステップＳ２〜Ｓ８の処理を実行する。
【００５６】
ステップＳ８において、ＤＶＤ１６への録画が可能であると判断された場合（ステップＳ８においてＹＥＳ）、実施の形態１と同様に、ＤＶＤ１６への録画を開始する（ステップＳ９）。そして、ステップＳ１０およびＳ１１の処理を行なう。
【００５７】
一方、ステップＳ８において、ＤＶＤ１６への録画が不可能と判断された場合（ステップＳ８においてＮＯ）、ＣＰＵ１０は、報知画面を表示する（ステップＳ３２）。報知画面としては、たとえば、“ＨＤＤへの録画に切り替えてよろしいですか？”というメッセージが表示される。また、このメッセージとともに、ＯＫボタンとＮＯボタンとがあわせて表示される。
【００５８】
そして、ＣＰＵ１０は、ユーザからの、ＨＤＤ５への録画指示の有無を判断する（ステップＳ３４）。ＨＤＤ５への録画指示があった場合（ステップＳ３４においてＹＥＳ）、すなわち、ユーザにより上記ＯＫボタンが選択された場合、ステップＳ１２に進み、上述の処理を行なう。
【００５９】
一方、ＨＤＤ５への録画指示がなかった場合（ステップＳ３４においてＮＯ）、すなわち、ユーザにより上記ＮＯボタンが選択された場合、ステップＳ１６に進み、上述の処理を行なう。
【００６０】
このように、本発明の実施の形態１の変形例２では、記録先の記録媒体を切り替えるか否かをユーザに選択させることができる。したがって、たとえば、すぐ手元に書き込み可能なＤＶＤ１６があった場合、これを装着することで、希望通り、ＤＶＤ１６に記録することが可能となる。これにより、一旦、ＨＤＤ５に録画された映像データ（コンテンツ）をダビングする手間を省くことができる。
【００６１】
なお、この実施の形態１の変形例２においても、変形例１のように、臨時情報を管理データに格納することとしてもよい。
【００６２】
以上、本発明の実施の形態１およびその変形例１，２において、ＨＤＤ５を内蔵しＤＶＤ１６が着脱可能なデータ記録再生装置１００を用いて説明したが、このような構成に限らない。たとえば、ＤＶＤ１６に替えて、他の光学媒体を着脱可能な構成としてもよいし、磁気テープなどのテープ媒体を着脱可能な構成としてもよい。テープ媒体としては、アナログデータを記録するものであってもよいし、デジタルデータを記録するものであってもよい。また、ＨＤＤ５を内蔵し、複数の着脱可能な記録媒体を備えることとしてもよい。
【００６３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６４】
【図１】本発明の実施の形態１に係るデータ記録再生装置の構成を示す図である。
【図２】リモコンの構成例を示す図である。
【図３】本発明の実施の形態１における記録媒体切替処理の流れを示すフローチャートである。
【図４】本発明の実施の形態１の変形例１におけるＨＤＤのタイトル管理テーブルの構造例を示す図である。
【図５】本発明の実施の形態１の変形例１における記録媒体切替処理の流れを示すフローチャートである。
【図６】本発明の実施の形態１の変形例１におけるＨＤＤのタイトル一覧の表示例を示す図である。
【図７】本発明の実施の形態１の変形例２における記録媒体切替処理の流れを示すフローチャートである。
【符号の説明】
【００６５】
１  アンテナ、２  チューナ、３  デジタル変換部、４  エンコーダ、６  書込／読出制御部、７  デコーダ、８  アナログ変換部、９  出力部、１１，１２  記憶部、１３  入力部、１４  リモコン、１５  ＯＳＤ回路、１７  タイマ、１００  データ記録再生装置。
【図１】
2006294165.tif 000003
【図２】
2006294165.tif 000004
【図３】
2006294165.tif 000005
【図４】
2006294165.tif 000006
【図５】
2006294165.tif 000007
【図６】
2006294165.tif 000008
【図７】
2006294165.tif 000009